(57)【要約】【課題】  親綱取付装置は支柱から外れない構造であることが絶対的であるが、仮設部材であるため取り付け取り外しが容易でなければならない。また、躯体の支柱に親綱取付装置を取り付ける場合には、その支柱に外壁パネルを取り付けた後でも取り外せる構造でなければならない。【解決手段】  支柱に支柱間架設部材を連結することを目的として支柱に取り付ける装置であって、一端にレンチ係合部を備えラチェットギアを設けたベルト挿通軸及び該ラチェットギアに付勢係合させる係合爪を設けた本体に、支柱間架設部材の連結部を備えると共に、ベルト支持部及び該ベルト支持部に一端を支持し他端を支柱に回して該ベルト挿通軸に巻き取るベルトを設ける。【選択図】        図１
2010084420.tif 000002
【特許請求の範囲】
【請求項１】
支柱に支柱間架設部材を連結することを目的として支柱に取り付ける装置であって、一端にレンチ係合部を備えラチェットギアを設けたベルト挿通軸及び該ラチェットギアに付勢係合させる係合爪を設けた本体に、支柱間架設部材の連結部を備えると共に、ベルト支持部及び該ベルト支持部に一端を支持し他端を支柱に回して該ベルト挿通軸に巻き取るベルトを設けたことを特徴とする支柱間架設部材の支持装置。
【請求項２】
支柱巻き付け時に本体の一側から突出するベルトの間隔を広げるベルトガイドを設けた請求項１記載の支柱間架設部材の支持装置。
【発明の詳細な説明】
【技術分野】
【０００１】
本発明は、建築現場など高所作業における墜落防止を目的として設ける手摺や親綱などの支柱間架設部材を支柱に取り付ける装置の改良に関するものである。
【背景技術】
【０００２】
高所作業においては、作業者の安全を図るため手摺や親綱などを設ける必要がある。親綱等は、躯体の支柱を利用したり架設支柱を設置することによって張設される。例えば、特許文献１のように支柱を抱き込むようにして取り付ける金具に親綱掛止部を設けた構造のものがある。
【特許文献１】特開平８−１５８６６３号
【発明の開示】
【発明が解決しようとする課題】
【０００３】
このような親綱取付装置は支柱から外れない構造であることが絶対的な要件であるが、仮設部材であることから取り付け取り外しが容易にできることも重要な要件となる。この他、躯体の支柱に親綱取付装置を取り付ける場合は、その支柱に外壁パネルを取り付けた後でも取り外せる構造でなければならない。
【０００４】
また、親綱の連結部を剛性のある部材に設けることも重要である。これは、支柱に巻き付けたワイヤや布ベルトに親綱の連結部を設けると、連結部に荷重が集中するため、伸びが生じたり、連結部の強度低下、支柱との摩擦による傷付きや破断などの問題が生じる。また、剛性が低いため安定感がなく手摺を支持するための支持装置とはなり得ない。
【課題を解決するための手段】
【０００５】
そこで本発明者は上記課題に鑑み鋭意研究した結果、本発明を成し得たものであり、その特徴とするところは、支柱に支柱間架設部材を連結することを目的として支柱に取り付ける装置であって、一端にレンチ係合部を備えラチェットギアを設けたベルト挿通軸及び該ラチェットギアに付勢係合させる係合爪を設けた本体に、支柱間架設部材の連結部を備えると共に、ベルト支持部及び該ベルト支持部に一端を支持し他端を支柱に回して該ベルト挿通軸に巻き取るベルトを設けたことにある。
【０００６】
本明細書中でいう「ベルト挿通軸」とは、布製のベルト端部を開口部に挿通して回転させることによって巻き取る部材をいう。ベルト挿通軸にはレンチ係合部を設けており、スパナやラチェットレンチなどで回転させることによってベルトを巻き取り、ベルトを支柱に締め付ける。また、ラチェットギアとこれに係合させる係合爪を設けて巻き取る方向にのみ回転できるようにしている。
【０００７】
「本体」とは、上記ベルト挿通軸を回転可能に支持し、ワイヤ、ロープ、手摺などの支柱間架設部材を支持連結する連結部を設けた部材をいう。本体には、ベルトの一端を支持固定するベルト固定部が設けられる。ベルトの他端をベルト挿通軸で巻き取ることによって、支柱に締め付けて本体を固定する。本体の形状は、直線状、屈曲状など特に限定するものではない。また、支柱間架設部材を支持連結する連結部は１つ設けるだけでもよく３以上設けるようにしてもよい。
【０００８】
本発明に係る支柱間架設部材の支持装置においては、本体の一側から輪状のベルトが突出する構造であるため、支柱の幅以内でできるだけベルト間の間隔を広くするのが好ましい。例えば、ベルト挿通軸とベルト支持部の間隔を広くしたり、別途ベルトガイドを設ける。
【発明の効果】
【０００９】
本発明に係る支柱間架設部材の支持装置は、ベルトで支柱に締め付けて本体を固定する構造であるため、本体に衝撃が加わってもベルトが破断しない限り支柱から本体が外れないため、安全上極めて有効となる。また、支柱間架設部材の連結部を本体に設けているため、装置全体で荷重を受けることができる。特に、ベルトには何も設けていないため、本体を取り付けた支柱に外壁パネルを貼った後でもベルトを外すことができるなど、高所作業を安全に遂行する上で極めて有益な効果を有するものである。
【発明を実施するための最良の形態】
【００１０】
本発明に係る支柱間架設部材の支持装置は、ラチェットギアを設けたベルト挿通軸、ベルト支持部に一端を支持し他端を該ベルト挿通軸に巻き取るベルトを設けた本体に、支柱間架設部材の連結部設けたことで上記課題を解決した。
【実施例１】
【００１１】
図１は、本発明に係る支柱間架設部材の支持装置１の一実施例を示すもので、本体２にラチェットギア３を備えたベルト挿通軸４と、該ラチェットギア３に係合させるバネ５１で付勢した係合爪５を設けた構造である。そして、本体２には支柱間架設部材の連結部６を備えると共に、ベルト支持部７に一端を支持したベルト８を設けている。ベルト挿通軸４にはレンチ係合部９を設けている。支柱Ｐに回したベルト８の他端をベルト挿通軸４に挿通し、ラチェットレンチなどの工具でレンチ係合部９を矢印方向に回転することにより、ベルト８をベルト挿通軸４に巻き取って、支柱Ｐに締め付けて本体２を固定する。
【００１２】
図２は支持装置１を支柱Ｐに取り付けた状態であり、本体２の両側に設けた連結部６に支柱間架設部材である親綱Ｒを連結する。本発明に係る支柱間架設部材の支持装置１は、支柱Ｐにベルト８を巻き付けて固定する構造であることから、図のように支柱Ｐに外壁パネルＳを取り付けた後でも支柱Ｐからベルト８を取り外せることができ、最終工程に至るまで安全性を維持することが可能となる。
【実施例２】
【００１３】
図３は、本発明に係る支柱間架設部材の支持装置１の他の実施例を示すもので、支柱間架設部材として親綱Ｒと手摺Ｈの連結部６を設けたものである。本例では係合爪５の回転軸をベルト支持部７としてベルト８の一端を支持している。そして、本体２の一側から突出するベルト８の間隔を広げるためのベルトガイド１０を設けている。また、本体２が支柱Ｐからズレにくくすることを目的として、本体２に支柱保持部１１を設けている。
【００１４】
手摺Ｈの連結部６は、図４に示すように本体２の上下に設けた開口部６１に対し、挿通孔６２を設けた可動部６３をツマミ６４を回転して移動させることによって固定する構造である。図の右側のように開口部６１と挿通孔６２を合わせた状態で手摺ＨのフックＨ１を挿通し、図の左側のようにツマミ６４を回して締め付けることによって固定する。
【図面の簡単な説明】
【００１５】
【図１】本発明に係る支柱間架設部材の支持装置の一実施例を示す斜視図である。（実施例１）
【図２】図１に示した支柱間架設部材の支持装置を支柱に取り付けた状態の一例を示す平面図である。
【図３】本発明に係る支柱間架設部材の支持装置の他の実施例を示す斜視図である。（実施例２）
【図４】図３に示した支柱間架設部材の支持装置を支柱に取り付け、手摺を連結する状態の一例を示す側面図である。
【符号の説明】
【００１６】
１  支柱間架設部材の支持装置
２  本体
３  ラチェットギア
４  ベルト挿通軸
５  係合爪
５１  バネ
６  連結部
６１  開口部
６２  挿通孔
６３  可動部
６４  ツマミ
７  ベルト支持部
８  ベルト
９  レンチ係合部
１０  ベルトガイド
１１  支柱保持部
Ｐ  支柱
Ｒ  親綱
Ｓ  外壁パネル
Ｈ  手摺
Ｈ１  フック
【図１】
2010084420.tif 000003
【図２】
2010084420.tif 000004
【図３】
2010084420.tif 000005
【図４】
2010084420.tif 000006